(57)【要約】      （修正有）【課題】シャッターの設置当初において、遮光性を高め、特に、夏期における建物の内部温度の上昇を抑制することができるシャッター用スラット及びシャッターを提供する。【解決手段】金属帯板の幅方向の両端部に連結部Ｃ1a, Ｃ1bが長手方向に連続して設けられ、連結部を介して多数枚を屈曲可能に連結してシャッターＴ1 を形成するためのシャッター用スラットＳ1 であって、単体状態において、スラットの外面に遮光塗料が塗布されている。【選択図】図３
0003204889.tif 000002
【実用新案登録請求の範囲】
【請求項１】
金属帯板の幅方向の両端部に連結部が長手方向に連続して設けられ、当該連結部を介して多数枚を屈曲可能に連結してシャッターを形成するためのシャッター用スラットであって、
当該スラットは、単体状態において、その外面に遮光塗料が塗布されていることを特徴とするシャッター用スラット。
【請求項２】
前記スラットを形成する連続帯板状の金属帯板母材の状態において、その一面に遮光塗料が塗布されていることを特徴とする請求項１に記載のシャッター用スラット。
【請求項３】
請求項１又は２に記載のシャッター用スラットを幅方向に連結して成ることを特徴とするシャッター。
【考案の詳細な説明】
【技術分野】
【０００１】
本考案は、塗装構造に特徴を有するシャッター用スラット、及びシャッターに関するものである。
【背景技術】
【０００２】
屋外設置されるコンテナ、又は仮設ハウスにおいては、夏期における内部温度は、太陽光によって相当な高温となり、５０°Ｃを超えることもあり、当該コンテナ、又は仮設ハウスにおいては、その出入開口を塞ぐために、シャッターが使用されることが多い。また、一般の倉庫においても、シャッターは、多用されている。
【０００３】
シャッターの一つとして、特許文献１，２に開示されるように、金属帯板の幅方向の両端部に連結部が設けられた多数のスラットを、当該連結部を介して屈曲可能に連結した構造のものがある。しかし、従来のシャッター用スラットの外観（意匠性）を高めるために、予め表面に塗料を塗布したカラー鋼板が使用されることがある。このカラー鋼板の塗料としては、色彩性（意匠性）を高めることのみを目的として安価な一般の塗料が使用されているため、シャッターの設置後において、当該シャッターの部分の遮光性（遮熱性）を高めて、特に、夏期において、内部の温度上昇を抑えるためには、シャッターの設置状態において、遮光塗料を塗布する必要がある。
【０００４】
しかし、シャッターの設置後において、遮光塗料を塗布するには、シャッターの表面の錆類を除去するために、当該シャッターの表面をサンドペーパー等で磨いた後に、遮光塗料を塗布して乾燥させる必要があり、多くの手間を要する。シャッターを構成する多数のスラットの素材であるカラー鋼板に対して、再度別の遮光塗料を塗布することで、結果として、二重塗装となって、高価となる。
【先行技術文献】
【特許文献】
【０００５】
【特許文献１】実用新案登録第３１１８０５８号公報
【特許文献２】特開平１０−１８４２３１号公報
【考案の概要】
【考案が解決しようとする課題】
【０００６】
本考案は、シャッターの設置当初において、遮光性が高められることで、特に、夏期における建物の内部温度の上昇を抑制することを課題としている。
【課題を解決するための手段】
【０００７】
上記課題を解決するための請求項１の考案は、金属帯板の幅方向の両端部に連結部が長手方向に連続して設けられ、当該連結部を介して多数枚を屈曲可能に連結してシャッターを形成するためのシャッター用スラットであって、
当該スラットは、単体状態において、その外面に遮光塗料が塗布されていることを特徴としている。
【０００８】
請求項１の考案によれば、シャッターを構成する多数のスラットは、幅方向の両端部の各連結部を介して互いに連結してシャッターとする前の単体の状態において、その外面となる面に遮光塗料が塗布されているため、シャッターの設置後において、一般の塗装面に対して再度、遮光塗料を塗布する必要がなく、二重塗装の必要がなくなる。
【０００９】
請求項２の考案は、請求項１の考案において、前記スラットを形成する連続帯板状の金属帯板母材の状態において、その一面に遮光塗料が塗布されていることを特徴としている。
【００１０】
請求項２の考案によれば、連続帯板状の金属帯板母材をコイル状に巻回された状態で、当該金属帯板母材をアンコイリングさせて、長手方向に送られる途中において、一対一組のロールから成る多数のロール成形装置により、前記金属帯板母材の幅方向の両端部をフォーミング成形することで、当該金属帯板母材の幅方向の両端部に連結部がそれぞれロール成形され、その後に、幅方向の両端部に連結部が成形された中間加工状態の連続帯板状の金属帯板を所定長に切断することで、スラットが連続して形成される。このように、連続帯板状の金属帯板母材の状態において、その一面に遮光塗料を塗布することで、遮光塗料の塗布を容易に行える。
【００１１】
請求項３の考案は、請求項１又は２に記載のシャッター用スラットを幅方向に連結して成ることを特徴とするシャッターであって、表面側に塗布された遮光塗料によって、特に、夏期における建物内部の温度上昇を抑制できる。また、シャッターの設置後において、遮光塗料の塗布の必要もなくなる。
【考案の効果】
【００１２】
本考案によれば、シャッターを構成する多数のスラットは、幅方向の両端部の各連結部を介して互いに連結してシャッターとする前の単体の状態において、その外面となる面に遮光塗料が塗布されているため、シャッターの設置後において、一般の塗装面に対して再度、遮光塗料を塗布する必要がなく、二重塗装の必要がなくなる。
【図面の簡単な説明】
【００１３】
【図１】本考案に係るシャッター用スラットＳ1 （Ｓ2 ）の成形装置の模式的側面図である。
【図２】スラットＳ1 （Ｓ2 ）を成形するための連続帯板状の金属帯板母材Ｍの連結部成形予定部Ｃ1', Ｃ2'を主体に示す平面図である。
【図３】（ａ）は、金属帯板母材Ｍの横断面図、（ｂ）は、成形されたシャッター用スラットＳ1 の横断面図、（ｃ）は、多数のスラットＳ1 を連結したシャッターＴ1 の一部の横断面図である。
【図４】（ａ）は、金属帯板母材Ｍの横断面図、（ｂ）は、成形されたシャッター用スラットＳ2 の横断面図、（ｃ）は、多数のスラットＳ2 を連結したシャッターＴ2 の一部の横断面図である。
【図５】本考案に係るシャッターＴ1 （Ｔ2 ）を備えた可搬式コンテナＫの斜視図である。
【考案を実施するための形態】
【００１４】
以下、好適な実施例を挙げて、本考案について更に詳細に説明する。図１は、本考案に係るシャッター用スラットＳ1 （Ｓ2 ）の成形装置の模式的側面図であって、連続帯板状の金属帯板母材Ｍは、巻回軸１に巻回されて、ロール成形装置Ｆを構成する一対一組となった多数組の成形ローラ２の駆動回転により、巻回軸１から引き出される（アンコイリングされる）。一対一組の成形ローラ２は、上下に配置されて、その間に金属帯板母材Ｍが通過する際に、その幅方向の両端部の連結部成形予定部Ｃ1', Ｃ2'（図２参照）が徐々にロール成形されて、異なる形状の連結部Ｃ1a, Ｃ1bが形成される。なお、図１において、３は、アンコイリングされた金属帯板母材Ｍをロール成形装置Ｆに対して一定の高さで送り込むための一対のガイドローラを示す。
【００１５】
金属帯板母材Ｍは、例えば、鋼板から成り、所定長に切断されたスラットＳ1 （Ｓ2 ）を連結してシャッターＴ1 （Ｔ2 ）に形成された場合に、表面となる面に、予め遮光塗料が塗布されて、その塗膜Ｐが一体に形成されており、この構成が、本考案の特徴となっている。
【００１６】
一面に遮光塗料の塗膜Ｐが一体に形成された金属帯板母材Ｍは、ロール成形装置Ｆを構成する各組の成形ローラ２を通過する際に、その幅方向の両端部が徐々に屈曲されると共に、その幅方向の端部の部分が互いに反対側にわん曲成形されることで、最終的には、図３（ｂ）に示されるように、金属帯板母材Ｍの幅方向の両端部に、それぞれ異なる形状の連結部Ｃ1a, Ｃ1bが形成され、その後に、切断装置Ａによって、設定長に切断されることで、スラットＳ1 が連続して形成される。
【００１７】
スラットＳ1 は、幅方向の中央部の平面部１１の幅方向の両端部が背面（裏面）側に屈曲された屈曲平面部１２，１３が形成され、各屈曲平面部１２，１３の幅方向の端部に、互いに反対方向にほぼ円形にわん曲された連結嵌合部１４，１５が形成されている。一方の連結嵌合部１４は、他方の連結嵌合部１５に対して相対的に大サイズに形成されて、屈曲平面部１２との間に、連結される別のスラットＳ1 の屈曲平面部１３を挿入可能とする挿入口１６が形成されている。
【００１８】
このため、図３（ｃ）に示されるように、隣接する各スラットＳ1 の異なる連結部Ｃ1a, Ｃ1bの各連結嵌合部１４，１５を互いに嵌合させることで、即ち、一方のスラットＳ1 の大径の連結嵌合部１４の内側に、他方のスラットＳ2 の小径の連結嵌合部１５を挿入状態で嵌合させると、表面に遮光塗料から成る塗膜Ｐが一体に形成された多数枚のスラットＳ1 は、連結部において、屈曲可能となって互いに連結されて、シャッターＴ1 となる。
【００１９】
図４に示されるスラットＳ2 は、一面に塗膜Ｐが一体に形成された金属帯板母材Ｍをロール形成したものであって、全体として大きな割合を占める平面部２１の幅方向の一端部に、当該平面部２１の幅方向の一端から幅方向の外側に突出してわん曲されることで、連結部Ｃ2aが形成されていると共に、当該平面部２１の他端部には、当該平面部２１の背面側に廻り込んだ形状で、前記連結部Ｃ2aと同方向にわん曲されることで、連結部Ｃ2bが形成された構成である。連結部Ｃ2aには、連結される別のスラットＳ2 の連結部Ｃ2bを挿入可能とする挿入口２２が形成されている。
【００２０】
２枚のスラットＳ2 の一方の連結部Ｃ2aの挿入口２２から、他方のスラットＳ2 を廻しながら、当該他方のスラットＳ2 の連結部Ｃ2bを挿入嵌合させることで、２枚のスラットＳ2 が屈曲可能に連結される。これにより、表面に遮光塗料から成る塗膜Ｐが一体に形成された多数枚のスラットＳ2 を屈曲可能に連結させることで、シャッターＴ2 となる。
【００２１】
このため、図５に示される屋外に設置される可搬式のコンテナＫの出入開口を上記したシャッターＴ1 （Ｔ2 ）で覆う構成とすることで、当該シャッターＴ1 （Ｔ2 ）の設置当初において、その表面には、遮光塗料の塗膜Ｐが存在しているため、当該シャッターＴ1 （Ｔ2 ）の部分からの太陽熱による熱伝達量が少なくなって，特に、夏期における内部温度の上昇を抑制できる。
【００２２】
また、上記した各スラットＳ1 ，Ｓ2 は、連続帯板状をした金属帯板母材Ｍの一面に、予め遮光塗料を塗布して、その塗膜Ｐを形成しておき、この金属帯板母材Ｍをロール成形した後に、設定長に切断することで成形しているが、スラットに成形した後であって、多数のスラットを連結してシャッターとする前の段階において、当該スラットの表面に遮光塗料を塗布して、その塗膜を形成することも可能である。
【００２３】
また、本考案に係るシャッター用スラット、及びシャッターは、上記した可搬式のコンテナＫに装着されるスラット式シャッターのみならず、不動状態の一般の倉庫等に装着されるスラット式シャッターに対しても、適用可能である。
【符号の説明】
【００２４】
Ｃ1a，Ｃ1b, Ｃ2a, Ｃ2b：スラットの連結部
Ｋ：可搬式のコンテナ
Ｍ：金属帯板母材
Ｓ1 ，Ｓ2 ：  スラット
Ｔ1 ，Ｔ2 ：  シャッター
【図１】
0003204889.tif 000003
【図２】
0003204889.tif 000004
【図３】
0003204889.tif 000005
【図４】
0003204889.tif 000006
【図５】
0003204889.tif 000007